(57)【要約】      （修正有）【課題】床版を構成する押出形材の中空部の一部を外部から確実に密閉できる中空部密閉治具、およびこれを用いた橋梁用床版の設置工法を提供する。【解決手段】押出形材Ｅ１の中空部Ｓの断面と相似な外形の一対の堰板２ａ，２ｂと、これらを間隔を置いて連結する複数の連結ボルト（連結棒）４と、堰板の側面に接近および離間可能に配置され、堰板の外形とほぼ同じ外形を有する一対の押え材６ａ，６ｂとを備え、堰板の外周縁に沿って形成したテーパ面３と、押え材の外周縁に沿って形成したテーパ面７とが対向し、テーパ面３，７に跨って、紐状のパッキングｐが押出形材Ｅ１の中空部Ｓの内壁に密着可能に配置されており、堰板とこれに隣接する押え板とは、後者の固定されたボルトｂが前者を貫通し、ボルトｂの雄ネジ部にネジ結合するナットｎを正回転することで、押え板が堰板に接近可能とされている。【選択図】図３
2010070992.tif 000002
【特許請求の範囲】
【請求項１】
アルミニウム合金からなる押出形材の中空部における押出方向の一部を密閉するための治具であって、
上記押出形材の中空部の断面形状と相似形の外形を有する一対の堰板と、
上記一対の堰板を間隔を置いて連結する連結棒と、
上記一対の堰板ごとの側面に接近および離間可能に隣接して配置され、各堰板の外形とほぼ同じ外形を有する一対の押え材と、を備え、
上記一対の堰板ごとの外周縁に沿って形成したテーパ面あるいは曲面と、上記一対の押え材ごとの外周縁に沿って形成したテーパ面あるいは曲面とが、対向していると共に、係る対向するテーパ面あるいは曲面に跨って、紐状のパッキングが上記押出形材の中空部の内壁に密着可能に配置されている、
ことを特徴とする中空部密閉治具。
【請求項２】
前記堰板とこれに隣接する前記押え板とは、何れか一方の固定されたボルトが他方を貫通し、係るボルトの雄ネジ部にネジ結合するナットを回転することで、上記押え板が上記堰板に接近可能とされている、
ことを特徴とする請求項１に記載の中空部密閉治具。
【請求項３】
アルミニウム合金からなる押出形材の中空部における押出方向の一部を密閉するための治具であって、
上記押出形材の中空部のほぼ矩形の断面形状と相似形の外形を有する一対の堰板と、
上記一対の堰板を間隔を置いて連結する連結棒と、
上記一対の堰板ごとの外周縁に沿って配置した水膨張ゴムの止水材と、を含む、
ことを特徴とする中空部密閉治具。
【請求項４】
アルミニウム合金からなる押出形材の中空部における押出方向の一部を密閉するための治具であって、
上記押出形材の中空部のほぼ矩形の断面形状と相似形の外形を有する一対の堰板と、
上記一対の堰板を間隔を置いて連結する連結棒と、
上記一対の堰板の外側面に添接するか、あるいは、一方の堰板と上記中空部の端部を塞ぐ蓋板との間および隣接して挿入される別の中空部密閉治具の堰板との間に配設された膨張可能なバルーンと、を含む、
ことを特徴とする中空部密閉治具。
【請求項５】
アルミニウム合金からなる押出形材の中空部における押出方向の一部を密閉するための治具であって、
上記押出形材の中空部のほぼ矩形の断面形状と相似形の外形を有する複数の堰板と、
上記押出形材の底壁に押出方向に沿って開設された複数の貫通孔のうち、隣接する２つの貫通孔付近の中空部に挿入された一対の堰板の間、および上記押出形材の両端側の貫通孔付近の中空部に挿入された堰板と上記中空部の両端の開口部を塞ぐ蓋板との間を間隔を置いて連結する連結棒と、
上記一対の堰板間の中空部、および上記堰板と蓋板との間の中空部内で、且つ上記連結棒を除いた位置に配設された膨張可能なバルーンと、を含む、
ことを特徴とする中空部密閉治具。
【請求項６】
アルミニウム合金からなる押出形材の中空部における押出方向の一部を密閉するための治具であって、
上記押出形材の中空部のほぼ矩形の断面形状と相似形の外形を有する一対の堰板と、
上記一対の堰板を間隔を置いて連結する連結棒と、
上記一対の堰板ごとの外側に間隔を置いて平行に取り付けられ、各堰板と同様の外形を有する一対の仕切板と、
隣接する上記堰板と仕切板との間に径方向に膨張可能に配置された膨張可能なバルーンと、を含む、
ことを特徴とする中空部密閉治具。
【請求項７】
橋脚の上に平行に架設された複数の主桁ごとの上面に、当該主桁の長手方向に沿って複数のスタッドジベルを間隔を置いて立設する工程と、
床版を構成し且つアルミニウム合金からなる押出形材において、当該押出形材の底壁に明けた貫通孔の真上付近に位置する中空部に、請求項１乃至６の何れか一項に記載の前記中空部密閉治具を、前記一対の堰板が上記貫通孔を挟むように挿入し、前記パッキングを堰板ごとの外周縁側から上記中空部の内壁側に移動させ、または前記水膨張ゴム止水材に水を接触させ、あるいは前記バルーンを膨張させて、上記中空部の内壁に密着させる工程と、
上記中空部密閉治具が貫通孔の真上付近の中空部に挿入された押出形材を、複数の主桁の上方に押出方向を直角にし、且つ上記スタッドジベルを貫通孔から一対の堰板に挟まれた中空部内に挿入した状態で、型枠を介して載置する工程と、
上記治具の堰板間に挟まれた中空部、およびその直下で且つ型枠に囲まれた空間に上記スタッドジベルを囲むように、モルタルを充填し且つ養生する工程と、
を含む、
ことを特徴とする床版の設置工法。
【請求項８】
前記床版は、複数の前記押出形材を押出方向と直交する方向に沿って接合した形材ユニットからなり、
上記押出形材ごとの底壁に明けた貫通孔の真上付近に、前記中空部密閉治具が挿入され、且つ前記パッキングを堰板ごとの外周縁側から上記中空部の内壁側に移動させ、または、前記水膨張ゴムの止水材に前記モルタル中の水または外部から注水した水を接触させ、あるいは前記バルーンを膨張させて、上記パッキング、止水材、あるいはバルーンを中空部の内壁に密着させる、
ことを特徴とする請求項７に記載の床版の設置工法。  
【発明の詳細な説明】
【技術分野】
【０００１】
本発明は、押出形材の中空部の一部を外部から密閉するための中空部密閉治具、およびこれを用いた橋梁用床版の設置工法に関する。尚、本発明の橋梁用床版の設置工法は、道路用橋梁に限らず、歩道橋、鉄道橋、人工地盤にも適用される。
【背景技術】
【０００２】
近年、橋体の軽量化および施工の合理化を図るため、鋼製の床版や鉄筋コンクリート製の床版に替わって、アルミニウム合金からなる複数の押出形材を接合したアルミニウム床版の採用が検討されている。
例えば、互いに平行で且つＩ形鋼からなる複数の主桁の上に、予め、各主桁の上面に適宜間隔を置いて立設させた複数のスタッドジベルを、別途に複数の押出形材の押出方向の端縁同士を摩擦攪拌接合（ＦＳＷ）した複数の床版ユニットごとにおける各押出形材の底面から中空部に挿入し、該中空部の一部を密閉してモルタルを充填し、且つ該モルタルの一部を床版ユニットと前記主桁との間に所定の厚みで形成することにより、複数の床版同士を連続させて、上記主桁上に固定する床版の設置方法が提案されている（例えば、特許文献１参照）。
【特許文献１】特許第４０３０８２５号公報（第１〜１３頁、図１〜７）
【０００３】
ところで、前記特許文献１の床版の設置方法では、床版ユニットを構成する複数の前記押出形材の中空部の一部を密閉するため、押出形材ごとの底壁に明けた貫通孔の真上付近の中空部に、係る貫通孔を挟み且つ中空部の断面形状とほぼ相似形である一対の堰板を配置し、係る堰板間をボルトで連結したユニットからなる治具が使用されている。
【０００４】
しかし、上記ユニットの治具を押出形材ごとの中空部で且つ貫通孔の真上付近に挿入した場合、一対の堰板の外周縁と、中空部の内壁との隙間が生じるため、追って充填され且つ養生されたモルタルの一部が一対の堰板に挟まれた密閉空間から外側の中空部に漏れ出すことがある。その結果、漏れ出たモルタルを介して、大気中の水分が一対の堰板に挟まれた密閉空間内に位置するモルタルに浸透し、係るモルタルを劣化させることで、主桁に対する床版の支持強度が低下するおそれが生じたり、メンテナンス工事が繁茂に必要となる、という問題があった。
【発明の開示】
【発明が解決しようとする課題】
【０００５】
本発明は、背景技術において説明した問題点を解決し、床版を構成する押出形材の中空部の一部を外部から確実に密閉できる中空部密閉治具、およびこれを用いた橋梁用床版の設置工法を提供する、ことを課題とする。
【課題を解決するための手段および発明の効果】
【０００６】
本発明は、前記課題を解決するため、一対の堰板ごとの外周縁に沿って配置したパッキングを中空部の内壁側に移動させるか、あるいは堰板ごとの外周縁に沿って水膨張ゴムの止水材を配置する、ことなどに着想して成されたものである。
即ち、本発明による第１の中空部密閉治具（請求項１）は、アルミニウム合金からなる押出形材の中空部における押出方向の一部を密閉するための治具であって、上記押出形材の中空部の断面形状と相似形の外形を有する一対の堰板と、係る一対の堰板を間隔を置いて連結する連結棒と、上記一対の堰板ごとの側面に接近および離間可能に隣接して配置され、各堰板の外形とほぼ同じ外形を有する一対の押え材と、を備え、前記一対の堰板ごとの外周縁に沿って形成したテーパ面あるいは曲面と、上記一対の押え材ごとの外周縁に沿って形成したテーパ面あるいは曲面とが、対向していると共に、係る対向するテーパ面あるいは曲面に跨って、紐状のパッキングが上記押出形材の中空部の内壁に密着可能に配置されている、ことを特徴とする。
【０００７】
これによれば、一対の前記堰板に対し、一対の前記押え材を個別に接近させると、両者の外周縁ごとに位置するテーパ面または曲面も接近するため、これらテーパ面同士、曲面同士、あるいはテーパ面および曲面の接近によって、前記紐状のパッキングが一対の堰板の外周縁よりも外側に押し出れる。係るパッキングの押し出された部分が前記押出形材の中空部の内壁に密着することにより、該中空部における所要の位置に、追って充填されるモルタルが漏れ出ない密閉空間を確実に配設することが可能となる。
【０００８】
また、本発明には、前記堰板とこれに隣接する前記押え板とは、何れか一方に基端が固定されたボルトが他方を貫通し、係るボルトの雄ネジ部にネジ結合するナットを回転することで、上記押え板が上記堰板に接近可能とされている、第１の中空部密閉治具（請求項２）も含まれる。
これによれば、堰板および押え板の何れか一方に基端を固定されたボルトの雄ネジ部にネジ結合するナットを正回転する操作のみで、隣接する堰板と押え板とを容易且つ迅速に接近させ、これらの外周縁に跨って配設された前記パッキングを外側に押し出して、押出形材の内壁に確実に密着させることができる。
【０００９】
尚、前記押出形材は、断面の少なくとも一部に中空部を含むものであれば良い。
また、上記押出形材の中空部は、断面が矩形（正方形または長方形）のほか、四隅にアールが付されたほぼ矩形の断面としたり、内隅にアールが付されたほぼ正三角形、ほぼ直角三角形、あるいは、ほぼ二等辺三角形の断面の中空部を複数個隣接して配設した形態としても良い。
更に、前記連結棒は、例えば、１本のボトルにおける両端の雄ねじ部、あるいは、複数（２本以上）の平行なボルトで且つ両端の雄ねじ部を、前記一対の堰板にネジ結合する形態のほか、１本または２本以上の金属棒の両端部を一対の堰板に溶着あるいは接着した形態としても良い。
また、前記一対の押え板は、その外形が堰板と相似形であれば、平板に限らず、例えば、ほぼ枠形状を呈する形態であっても良い。
更に、前記一対の押え板は、前記一対の堰板の外側面に隣接して配置され、個々の押え板に基端を固定されたボルトが隣接する堰板を貫通し、その雄ネジ部にナットをネジ結合した形態としても良い。上記ボルトの固定には、溶着などにて押え板と一体化する態様のほか、回転可能で且つ抜け出し不能な態様も含まれる。
あるいは、前記一対の押え板は、前記一対の堰板の内側面に隣接して配置され、個々の堰板に基端を固定されたボルトが隣接する押え板を貫通し、その雄ネジ部にナットをネジ結合した形態としても良い。但し、該形態の場合、各押え板には、前記連結棒を挿通可能とする通し孔または切り欠きを設けることが必要となる。
【００１０】
更に、本発明による第２の中空部密閉治具（請求項３）は、アルミニウム合金からなる押出形材の中空部における押出方向の一部を密閉するための治具であって、上記押出形材の中空部のほぼ矩形の断面形状と相似形の外形を有する一対の堰板と、係る一対の堰板を間隔を置いて連結する連結棒と、上記一対の堰板ごとの外周縁に沿って配置した水膨張ゴムの止水材と、を含む、ことを特徴とする。
これによれば、第２の中空部密閉治具を押出形材の中空部における所定の位置に挿入した後、前記一対の堰板ごとの外周縁に沿って配置した水膨張ゴムの止水材に水を接触させるのみで、係る止水材を膨張させて、中空部の内壁に簡単且つ迅速に密着させられる。従って、後述する橋梁用床版を構成する押出形材の中空部における押出方向の一部を確実に密閉することが可能となる。
尚、前記止水材に接触させる水には、密閉された空間に追って充填されるモルタルに含まれる水の一部を流用しても良い。
【００１１】
加えて、本発明による第３の中空部密閉治具（請求項４）は、アルミニウム合金からなる押出形材の中空部における押出方向の一部を密閉するための治具であって、上記押出形材の中空部のほぼ矩形の断面形状と相似形の外形を有する一対の堰板と、係る一対の堰板を間隔を置いて連結する連結棒と、上記一対の堰板の外側面に添接するか、あるいは、一方の堰板と上記中空部の端部を塞ぐ蓋板との間および隣接して挿入される別の中空部密閉治具の堰板との間に配設された膨張可能なバルーンと、を含む、ことを特徴とする。
これによれば、第３の中空部密閉治具を押出形材の中空部における所定の位置に挿入した後、その一対の堰板の外側面に添接していたり、あるいは隣接して挿入される別の中空部密閉治具の堰板との間などに配設されたバルーンを膨張させることで、係るバルーンを中空部の内壁に簡単且つ迅速に密着させられる。従って、後述する橋梁用床版を構成する押出形材の中空部における押出方向の一部を確実に密閉することが可能となる。
尚、前記バルーンは、丈夫で柔軟な合成ゴムや合成樹脂などからなり、エアや窒素ガスなどの気体を強制的に充填することで膨張する。係るバルーンの吹き込み管は、例えば、堰板に明けた透孔、または、前記押出形材の底壁、あるいは押出形材の中空部における両端の開口部を塞ぐ蓋板に明けた透孔を貫通し、該吹き込み管から高圧エアを吹き込むことで、当該バルーンを膨張可能としている。
【００１２】
また、本発明による第４の中空部密閉治具（請求項５）は、アルミニウム合金からなる押出形材の中空部における押出方向の一部を密閉するための治具であって、上記押出形材の中空部のほぼ矩形の断面形状と相似形の外形を有する複数の堰板と、上記押出形材の底壁に押出（長手）方向に沿って開設された複数の貫通孔のうち、隣接する２つの貫通孔付近の中空部に挿入された一対の堰板の間、および上記押出形材の両端側の貫通孔付近の中空部に挿入された堰板と上記中空部の両端の開口部を塞ぐ蓋板との間を間隔を置いて連結する連結棒と、上記一対の堰板間の中空部、および上記堰板と蓋板との間の中空部内で、且つ上記連結棒を除いた位置に配設された膨張可能なバルーンと、を含む、ことを特徴とする。
【００１３】
これによれば、第４の中空部密閉治具を押出形材の中空部における所定の位置に挿入し、且つ蓋板を当該押出形材の端面に固定した後、前記一対の堰板間、および前記堰板と蓋板との間に配設された各バルーンを膨張させることで、係るバルーンを、複数の連結棒付近を除きつつ中空部の内壁に簡単且つ迅速に密着させられる。従って、後述する橋梁用床版を構成する押出形材の中空部における押出方向の一部を確実に密閉することが可能となる。
尚、前記バルーンは、前記押出形材の押出方向に沿って視覚で、ほぼＣ字形またはドーナッツ形状、あるいは、一対の対称なほぼ雲形、またはほぼＥ字形を呈し、これらの凹み部分に、単数あるいは複数（例えば、上下２本）の連結棒が該バルーンの膨張に支障なく位置している。
【００１４】
更に、本発明による第５の中空部密閉治具（請求項６）は、アルミニウム合金からなる押出形材の中空部における押出方向の一部を密閉するための治具であって、上記押出形材の中空部のほぼ矩形の断面形状と相似形の外形を有する一対の堰板と、係る一対の堰板を間隔を置いて連結する連結棒と、上記一対の堰板ごとの外側に間隔を置いて平行に取り付けられ、各堰板と同様の外形を有する一対の仕切板と、隣接する上記堰板と仕切板との間に径方向に膨張可能に配置された膨張可能なバルーンと、を含む、ことを特徴とする。
これによれば、第５の中空部密閉治具を押出形材の中空部における貫通孔の真上付近に挿入し、互いに隣接し合う堰板と蓋板との間に配設された各バルーンを膨張させることで、各バルーンを、押出形材の中空部の内壁に簡単且つ迅速に密着させられる。従って、後述する橋梁用床版を構成する押出形材の中空部における押出方向の一部を確実に密閉することが可能となる。
尚、前記バルーンは、例えば、全体がほぼドーナッツ形状を呈し、隣接する堰板と仕切板との中心部を接続する接続棒の周囲に配置され、押出形材の外側から高圧エアなとを吹き込み可能とされている。
【００１５】
一方、本発明による橋梁用床版の設置工法（請求項７）は、橋脚の上に平行に架設された複数の主桁ごとの上面に、当該主桁の長手方向に沿って複数のスタッドジベルを間隔を置いて立設する工程と、床版を構成し且つアルミニウム合金からなる押出形材において、当該押出形材の底壁に明けた貫通孔の真上付近に位置する中空部に、前記中空部密閉治具を、前記一対の堰板が上記貫通孔を挟むように挿入し、前記パッキングを堰板ごとの外周縁側から上記中空部の内壁側に移動させ、または前記水膨張ゴム止水材に水を接触させ、あるいは前記バルーンを膨張させて、上記中空部の内壁に密着させる工程と、上記中空部密閉治具が貫通孔の真上付近の中空部に挿入された押出形材を、複数の主桁の上方に押出方向を直角にし、且つ上記スタッドジベルを貫通孔から一対の堰板に挟まれた中空部内に挿入した状態で、型枠を介して載置する工程と、上記治具の堰板間に挟まれた中空部、およびその直下で且つ型枠に囲まれた空間に上記スタッドジベルを囲むように、モルタルを充填し且つ養生する工程と、を含む、ことを特徴とする。
【００１６】
これによれば、橋梁用床版を構成する前記押出形材の中空部における前記貫通孔の真上付近に、前記中空部密閉治具を押出方向に沿って挿入し、前記一対の押え板を前記一対の堰板に接近させて前記パッキングを外側に押し出し、または充填したモルタルに含まれる水を前記水膨張ゴムのパッキングに接触させて膨張させ、あるいは、前記バルーンを膨張させることで、パッキングやバルーンを上記押出形材の中空部における内壁に確実に密着させ、一対の堰板に挟まれた空間を外部から確実に密封することができる。
その結果、一対の堰板に挟まれた密閉空間内に位置するモルタルが密封され、係るモルタルが劣化しなくなることで、主桁に対する床版の支持強度が低下しにくくなり、且つメンテナンス工事を低減することに寄与することも可能となる。
【００１７】
更に、本発明には、前記床版は、複数の前記押出形材を押出方向と直交する方向に沿って接合した形材ユニットからなり、上記押出形材ごとの底壁に明けた貫通孔の真上付近に、前記中空部密閉治具が挿入され、且つ前記パッキングを堰板ごとの外周縁側から上記中空部の内壁側に移動させるか、または、前記水膨張ゴムの止水材に前記モルタル中の水または外部から注水した水を接触させるか、あるいは、前記バルーンを膨張させて、パッキング、止水材、あるいはバルーンを中空部の内壁に密着させる、橋梁用床版の設置工法（請求項８）も含まれる。
これによれば、橋梁用床版は、複数の前記押出形材を接合した形材ユニットからなるため、予め、該ユニットを複数個製作し、これらを構成する押出形材の中空部における前記貫通孔の真上付近に前記中空部密閉治具を挿入し、前記パッキング、止水材、あるいはバルーンを中空部の内壁に密着させた状態で、現場に搬入することで、現場での施工数を低減できる。
しかも、現場では、押出形材の中空部において、中空部密閉治具における一対の堰板間にモルタルを充填し且つ養生する工程を行うのみで、橋梁溶床版を効率良く迅速に施工することが可能となる。
【発明を実施するための最良の形態】
【００１８】
以下において、本発明を実施するための最良の形態について説明する。
図１は、本発明による一形態の第１の中空部密閉治具１を示す斜視図、図２は、その垂直断面図である。
中空部密閉治具１は、図１，図２に示すように、左右一対の堰板２ａ，２ｂと、これらを間隔を置いて連結する水平な３本（複数）の連結ボルト（連結棒）４と、上記堰板２ａ，２ｂの外側面に接近および離間可能に配置された左右一対の押え板６ａ，６ｂとを備えている。尚、連結ボルト４は、互いに平行な上方の１本と下方の２本とからなる。
一対の堰板２ａ，２ｂおよび一対の押え板６ａ，６ｂは、金属板あるいは合成樹脂板からなり、追って当該中空部密閉治具１が挿入される床版構成用の押出形材の中空部の断面形状と相似形の外形を有し、両者の対向する外周縁には、テーパ面３，７が互いに逆向きに形成されている。
【００１９】
図１，図２に示すように、一対の押え板６ａ，６ｂの内側面の中央付近には、ボルトｂの基端部が固定され且つ雄ネジが水平に突設されている。該ボルトｂは、隣接する堰板２ａ，２ｂの透孔５を貫通し、座金ｚを介してナットｎとネジ結合している。係るナットｎを正回転することで、押え板６ａ，６ｂを堰板２ａ，２ｂに対し接近させられる。尚、上記ナットｎを逆回転した場合には、離間させることができる。また、上記ボルトｂは、その基端を押え板６ａ，６ｂに回転可能で且つ抜け出し不能に取り付け（固定）ても良い。
隣接する堰板２ａ，押え板６ａの外周縁、および隣接する堰板２ｂ，押え板６ｂの外周縁に沿って、断面ほぼ楕円形の合成ゴムなどからなる紐状のパッキングｐが対向するテーパ面３，７に跨って、巻き付けられている。図２のように、隣接する堰板２ａ，押え板６ａ間、および堰板２ｂ，押え板６ｂ間に隙間８が介在するように、押え板６ａ，６ｂが堰板２ａ，２ｂから離間している状態では、上記パッキングｐは、伸長しておらず、その外周部分が堰板２ａ，２ｂや押え板６ａ，６ｂの外形よりも若干外側に位置している。
【００２０】
図３は、後述する橋梁用床版を構成する押出形材Ｅ１（Ｅ２）の中空部Ｓ内に、その長手（押出）方向に沿って、一端の開口部から前記中空部密閉治具１を挿入し、押出形材Ｅ１（Ｅ２）の底壁に明けた貫通孔ｈの真上付近の中空部Ｓ内に移動させ、貫通孔ｈの両側に堰板２ａ，押え板６ａおよび堰板２ｂ，押え板６ｂを配置した状態を示す垂直断面図である。係る状態で、貫通孔ｈからスパナなどを挿入してナットｎを正回転し、該ナットｎをボルトｂの基端側に移動させる。
その結果、図４に示すように、押え板６ａ，６ｂが堰板２ａ，２ｂに対し接近し、両者間の前記隙間８が解消される。同時に、堰板２ａ，２ｂおよび押え板６ａ，６ｂのテーパ面３，７が隣接することで、これらに跨っていた前記パッキングｐは、外側に押し出され、押出形材Ｅ１（Ｅ２）の中空部Ｓの内壁に密着する。これにより、貫通孔ｈの真上付近の中空部Ｓ内に、伸長したパッキングｐを含む堰板２ａ，２ｂに挟まれ、且つ外部から密封された密閉空間を確実に形成できる。
【００２１】
図５は、前記密閉治具１の応用形態である中空部密閉治具１ａを示す垂直断面図である。係る密閉治具１ａも、図５に示すように、前記同様の一対の堰板２ａ，２ｂ、これらを連結する複数の連結ボルト４、一対の押え板６ａ，６ｂ、および一対のパッキングｐを備えている。隣接する堰板２ａ，押え板６ａおよび堰板２ｂ，押え板６ｂの透孔５，９には、一対のボルトｂが貫通し、両者の逆向きの雄ネジ部ごとに、ターンバックル１０の雌ネジ孔１１がネジ結合している。尚、上記ボルトｂの先端には、太径部ｄが位置し、これと押え板６ａ，６ｂとの間には、シール材ｓが挟持されている。
以上のような中空部密閉治具１ａによれば、前記押出形材Ｅ１（Ｅ２）の中空部Ｓにおける貫通孔ｈの真上付近に配設した後、貫通孔ｈから挿入したピン形状の工具または素手によって、ターンバックル１０を回転するのみで、押え板６ａ，６ｂを同時に堰板２ａ，２ｂに接近させ、各パッキングｐを全周にわたり外側に押し出して、中空部Ｓの内壁に密着させることが可能となる。
【００２２】
図６の左側は、隣接する堰板２ａ（２ｂ），押え板６ａ（６ｂ）の外周縁に外向きに膨らむ曲面ｒを対称に形成した形態を示す。前記中空部密閉治具１のように、ナットｎを正回転するか、あるいは、前記密閉治具１ａのように、ターンバックル１０を回転することで、図６中の白抜き矢印の右側に示すように、隣接する曲面ｒ，ｒを接近させ、パッキングｐを全周にわたり幅ｗ分外側に押し出すことで、前記押出形材Ｅ１（Ｅ２）中空部Ｓの内壁に密着させることが可能となる。
【００２３】
次に、前記中空部密閉治具１を用いた本発明による橋梁用床版の設置工法について説明する。
予め、図７に示すように、アルミニウム合金（例えば、ＪＩＳ：Ａ６Ｎ０１Ｓ−Ｔ５、Ａ６０６１Ｓ−Ｔ６）からなる複数の押出形材Ｅ１，Ｅ２を接合して、床版ユニットＵを製作する。尚、床版ユニットＵは、中間用である単数または複数の押出形材Ｅ１と、その両端部に接合される端部用の押出形材Ｅ２とから構成される。
中間用の押出形材Ｅ１は、図７中の左側に示すように、上側の水平な表面板１２、下側の水平な底壁１６、左右一対の側壁１５、これらに囲まれた断面ほぼ四角形の中空部Ｓ、および表面板１２，底壁１６から左右に延びた長短一対ずつのフランジ１４，１７からなる断面を図示の前後方向の全長に沿って有する。
【００２４】
一方、端部用の押出形材Ｅ２は、図７中の右側に示すように、上側の水平な表面板１３、下側の水平な底壁１６、左右一対の側壁１５、これらに囲まれた断面ほぼ四角形の中空部Ｓ、一方にのみ延びた前記と同じフランジ１４、左右一対のフランジ１７、および表面板１３の表面よりも低い位置から水平に延びた突出片１８からなる断面を図示の前後方向の全長に沿って有する。係る突出片１８の基部と表面板１３の表面との間には、上向きに凹んだ曲面１９が形成されている。表面板１３の表面から突出片１８の上面までの高さは、後述するボルト頭の高さ、座金の厚み、および、上側に配設する添接板の板厚の合計値と同じか、係る合計値よりも若干大である。
尚、押出形材Ｅ１，Ｅ２の底壁１６における長手（押出）方向に沿った複数の位置には、平面視が矩形の貫通孔ｈが切り欠き加工により形成されている。
【００２５】
床版ユニットＵを形成するには、中間用の押出形材Ｅ１，Ｅ１のフランジ１４，１４同士の先端部、および隣接して接続すべき中間用の押出形材Ｅ１と端部用の押出形材Ｅ２とのフランジ１４同士の先端部に対し、例えば、公知の摩擦攪拌接合（ＦＳＷ）を施すことで行われる。
即ち、複数の押出形材Ｅ１同士、あるいは接続すべき押出形材Ｅ１，Ｅ２を両者のフランジ１４の先端面を接触させた状態で拘束し、これらの隣接するフランジ１４，１４の突き合わせ面に沿って、下側および上側の少なくとも一方から円柱形の本体とその底面中央部から同軸心で延びる攪拌ピンとからなる接合ツールを、高速回転させ且つ軸方向に沿って押し込みつつ移動させる。
【００２６】
その結果、図７の中央に示すように、押出形材Ｅ１，Ｅ２のフランジ１４，１４の先端部は、アルミニウム合金が固相状態で摩擦攪拌され且つ固化した上下一対の接合部ｗａ，ｗｂによって接合される。そして、中間用の押出形材Ｅ１，Ｅ１とこれらの両外側に位置する端部用の押出形材Ｅ２，Ｅ２とが、個々のフランジ１４が水平に接続されると、それらの表面板１２，１３の表面が連続して一体に接合された床版ユニットＵが形成される。該床版ユニットＵは、複数個形成される。
尚、床版ユニットＵは、前記形態に限らず、１個の中間用の押出形材Ｅ１の両外側に端部用の押出形材Ｅ２を接合した形態としても良い。また、複数の押出形材Ｅ１，Ｅ２の接合は、前記ＦＳＷに限らず、ＭＩＧなどの溶接によっても良い。
【００２７】
次に、図８に示すように、押出形材Ｅ１（Ｅ２）の中空部Ｓ内に、一端の開口部側から前記中空部密閉治具１を挿入し、底壁１６に明けた貫通孔ｈの真上付近に移動させ、係る貫通孔ｈを左右一対の堰板２ａ，２ｂが挟んだ位置で停止する。係る状態で、前期同様に左右のナットｎをそれぞれ正回転させる。
その結果、図９に示すように、押え板６ａ，６ｂが堰板２ａ，２ｂに接近し、両者のテーパ面３，７が接近することで、パッキングｐが外側に押し出され、押出形材Ｅ１（Ｅ２）の中空部Ｓの内壁に密着し、貫通孔ｈの真上付近に一対の堰板堰板２ａ，２ｂによって外部から密閉された空間が形成される。
以上のような中空部密閉治具１の挿入、およびパッキングｐの密着工程を、全ての床版ユニットＵを構成する押出形材Ｅ１，Ｅ２の中空部Ｓ内において行う。
【００２８】
一方、架橋すべき現場に構築された複数個の図示しない橋脚の上に跨って、図１０に示すように、中央部に垂直断面を示す主桁２０を複数本平行に架設して固定する。係る主桁２０は、断面ほぼＩ形の形鋼、あるいは複数の鋼板を溶接した同様な断面Ｉ形の鋼桁からなり、上下一対のフランジ２１，２２と、これらの中央部を接続する垂直なウェブ２３とからなる。
図１０に示すように、上方のフランジ２１の上面に、幅方向に沿って３本（複数本）のスタッドジヘル２４を、溶植により主桁２０の長手方向に間隔を置いて複数組立設する。各スタッドジヘル２４の上端には、一体の太径部が位置する。尚、主桁２０上に溶植されるスタッドジヘル２４は、任意の本数でも良く、且つ幅方向以外の配置としても良い。
【００２９】
次いで、中空部Ｓ内にパッキングｐを密着させた複数の中空部密閉時具１を装着した押出形材Ｅ１，Ｅ２からなる前記床版ユニットＵを、前記現場に搬入し、図示ないクレーンなどによって吊り上げ、図１１に示すように、主桁２０の長手方向と押出形材Ｅ１（Ｅ２）の押出（長手）方向とが直交する姿勢とし、貫通孔ｈごとの内側に前記３本一組のスタッドジヘル２４を挿入する。係る状態で、上記床版ユニットＵを、複数の主桁２０のフランジ２１上に配置され且つ上記スタッドジヘル２４を囲む型枠２５の上に載置する。尚、押出形材Ｅ１（Ｅ２）において、貫通孔ｈごとの上方の表面板１２（１３）には、小孔ｋが穿設されている。
【００３０】
更に、図１２に示すように、主桁２０上で隣接する床版ユニットＵ，Ｕの押出形材Ｅ２，Ｅ２から互いに先端部が接近した突出片１８，１８の上・下面にわたって添接板２６，２７を個別に配置し、これらに明けた複数の通し孔（図示せず）にボルトＢを貫通し、それらの雄ネジ部にナットＮを締結する。この際、上側の添接板２６上に突出するボルトＢの頭の頂面は、押出形材Ｅ２の表面板１３の表面よりも若干低い位置となっている。これによって、複数個の床版ユニットＵが接続されて橋梁用床版ＫＳが構成される。
次に、各床版ユニットＵを構成する押出形材Ｅ１（Ｅ２）の中空部Ｓにおいて、前記密閉治具１の堰板２ａ，２ｂに挟まれた密閉空間内と、その真下で且つ前記型枠２５および主桁２０のフランジ２１に囲まれた空間内とに対し、図１３に示すように、上方の小孔ｋからモルタルｍを充填し、且つ養生する。この際、係るモルタルｍは、前記密閉治具１のパッキングｐによって、上記密閉空間から外部に漏れ出すことがない。尚、上記モルタルｍの充填作業は、型枠２５に別途明けた小孔（図示せず）から行うようにしても良い。
【００３１】
その結果、図１３に示すように、主桁２０上に立設された３本一組のスタッドジベル２４が、前記モルタルｍによって包囲されることで、複数個の床版ユニットＵからなる橋梁用床版ＫＳを、複数の平行な主桁２０上に跨って設置することができる。
そして、図１４，図１５に示すように、橋梁用床版ＫＳを構成する複数個の床版ユニットＵの上方に、下地材やアスファルトを含む道路面材２８を所定の厚さで敷設する。その結果、係る道路面材２８のアスファルト上を、車両などが走行可能な橋梁が構築される。
尚、前記押出形材Ｅ２（Ｅ１）におけるスタッドジベルＺが挿入された密閉空間などへモルタルｍの充填作業は、前記突出片１８，１８への添接板２６，２７の配置、およびボルトＢ・ナットＮの締結作業の前に行っても良い。但し、この場合には、上記ボルトＢ・ナットＮの締結作業中に、床版ユニットＵ，Ｕ間に拘束力が生じて、前記モルタルｍが割れないように留意することが必要となる。
【００３２】
以上のように中空部密閉治具１を用いた橋梁用床版ＫＳの設置工法によれば、係る床版ＫＳの床版ユニットＵを構成する前記押出形材Ｅ１，Ｅ２ごとの中空部Ｓ内において、底壁１６に明けた貫通孔ｈの真上付近に、上記密閉治具１における左右一対のパッキングｐが密着して外部から密閉された空間が確実に形成される。そのため、係る密閉空間内において、主桁２０上から立設するスタッドジベル２４を包囲しつつ、充填されたモルタルｍが外部に漏れ出なくなるので、従来のようなモルタルｍの劣化や、これに伴う床版の支持強度の低下を確実に抑制できる。これに伴い、メンテナンス作業や工事の頻度を低減することも可能となる。
尚、前記橋梁用床版ＫＳの設置工法には、前記中空部密閉治具１ａを用いたり、あるいは、堰板２ａ，２ｂや押え６ａ，６ｂの外周縁に沿って前記曲面ｒを形成した中空部密閉治具を用いても良い。
【００３３】
図１６は、本発明による第２の中空部密閉治具１ｂ、およびこれを押出形材Ｅ１（Ｅ２）の中空部Ｓ内に挿入した状態を示す垂直断面である。
中空部密閉治具１ｂは、図１６に示すように、前記同様の左右一対の堰板２ａ，２ｂと、これらを接続する複数の水平な連結ボルト（連結棒）４と、上記堰板２ａ，２ｂごとの外周縁に沿って配置した左右一対の水膨張ゴムの止水材ｗｐと、を備えている。係る止水材ｗｐは、断面ほぼ円形で且つ上記堰板２ａ，２ｂの外周縁を受け入れる凹溝ｕを内周面の全周に沿って有する。
上記止水材ｗｐの水膨張ゴムのゴム成分は、合成ゴムまたは天然ゴムからなり、合成ゴムとしては、例えば、スチレンブタジエンゴム（ＳＢＲ）、イソプレンゴム（ＩＲ）、ポリブタジエンゴム（ＢＲ）、アクリロニトリゴム（ＮＢＲ）、アクリルゴム（ＡＣＭ）、エチレンプロピレンゴム（ＥＰＤＭ）、ククロプレンゴム（ＣＲ）、フッ素ゴム、ウレタンゴム、アクリル−ブタジエンゴム（ＡＢＲ）、アクリロニトリル−イソプレンゴム（ＮＩＲ）、アクリロニトリル−ククロプレンゴム（ＮＣＲ）などが挙げられる。
【００３４】
前記止水材ｗｐの水膨張ゴムは、例えば、１００重量部の前記ゴム成分に対し、更に５〜１００重量部の高給水性樹脂、１〜３０重量部のポリアルキレオンオキサイド誘導体、および１〜２０重量部の熱硬化性ポリウレタンを配合した水膨張ゴム組成物を、加硫成形したものである。
図１７に示すように、押出形材Ｅ１（Ｅ２）が前記主桁２０上の型枠２５上に載置され、底壁１６に明けた貫通孔ｈの真上付近に配置された中空部密閉治具１ｂの堰板２ａ，２ｂ間の中空部Ｓ、およびその真下の型枠２５に包囲された空間に、小孔ｋからモルタルｍを充填する。この際、係るモルタルｍに含まれていた水の一部が水膨張ゴムからなる一対の止水材ｗｐに接触する。その結果、該止水材ｗｐは、その断面にて放射方向に膨張するため、外周部が中空部Ｓの壁面に密着する。その結果、堰板２ａ，２ｂ間の中空部Ｓは、外部から密閉されるので、追って充填されるモルタルｍは、堰板２ａ，２ｂ間から外側に漏れ出さなくなる。
【００３５】
以上のような水膨張ゴムからなる止水材ｗｐを含む第２の中空部密閉治具１ｂは、前記密閉治具１，１ａのような押え板６ａ，６ｂやボルトｂ・ナットｎが不要となるため、構造が簡単で且つ安価に製作できる。しかも、前記設置工法に用いた場合、主桁２０上に載置された押出形材Ｅ１，Ｅ２の中空部Ｓ内における貫通孔ｈの真上付近に挿入した後は、モルタルｍを充填するだけで、前記止水材ｗｐを自動的に膨張させて、中空部Ｓの内壁に確実に密着できるため、前記橋梁用床版ＫＳの設置工法における施工を容易且つ迅速にすることも可能となる。更に、前記モルタルｍが劣化しにくくなるので、これに伴う補修などのメンテナンス作業や工事を低減することも可能となる。
【００３６】
図１８は、本発明による第３の中空部密閉治具１ｃ、およびこれを押出形材Ｅ１（Ｅ２）の中空部Ｓ内に挿入した状態を示す垂直断面である。
中空部密閉治具１ｃは、図１８中の上側に示すように、前記同様の左右一対の堰板２ａ，２ｂと、これらを接続する複数の水平な連結ボルト（連結棒）４と、上記堰板２ａ，２ｂごとの外側面に添接した大小のバルーンＢ１ａ，Ｂ２ａと、を備えている。係るバルーンＢ１ａ，Ｂ２ａは、丈夫で柔軟性を有する合成ゴムや合成樹脂のシートからなり、エアなどの吹き込み管ｅを１つずつ有する。係る吹き込み管ｅは、堰板２ａ，２ｂの中央部に明けた透孔５を貫通し、当該吹き込み管ｅの基端付近を堰板２ａ，２ｂの外側面に部分的に接着されている。
図１８中の上側に示すように、床版ユニットＵを構成する押出形材Ｅ１（Ｅ２）の中空部Ｓ内において、底壁１６の明けた左右一対の貫通孔ｈごとの真上付近に、一対の中空部密閉治具１ｃを前記同様に挿入した後、該中空部Ｓの両端の開口部を蓋板ｆで閉塞する。係る状態で、一点鎖線の矢印で示すように、各吹き込み管ｅから高圧エアまたは窒素ガスを各バルーンＢ１ａ，Ｂ２ａ内に吹き込む。
【００３７】
その結果、図１８中の白抜きの矢印に下方に示すように、押出形材Ｅ１（Ｅ２）の中空部Ｓ内において、左右一対の前記密閉治具１ｃ，１ｃの隣接する堰板２ｂ，２ａ間では、前記大きな一対のバルーンＢ１ａが膨張し、バルーンＢ１ｂとなって、当該堰板２ｂ，２ａ間の中空部Ｓの内壁に密着する。
一方、小さな前記一対のバルーンＢ２ａは、それぞれ膨張してバルーンＢ２ｂとなり、押出形材Ｅ１（Ｅ２）の中空部Ｓにおける両端部の蓋板ｆと各密閉治具１ｃの堰板２ａ，２ｂに挟まれた中空部Ｓの内壁に密着する。
これにより、各密閉治具１ｃの堰板２ａ，２ｂ間の中空部Ｓは、外部から密閉されるので、追って充填されるモルタルｍは、係る堰板２ａ，２ｂ間から外側に漏れ出さなくなる。尚、膨張後におけるバルーンＢ１ｂ，Ｂ２ｂの各吹き込み管ｅは、その基端側の中間部分で閉塞される。
【００３８】
図１９は、異なる形態の第３の中空部密閉治具１ｄ、およびこれを押出形材Ｅ１（Ｅ２）の中空部Ｓ内に挿入した状態を示す垂直断面である。
中空部密閉治具１ｄは、図１９中の上側に示すように、前記同様の左右一対の堰板２ａ，２ｂと、これらを接続する複数の水平な連結ボルト（連結棒）４と、隣接する別の密閉治具１ｄの堰板２ａ，２ｂとの間の中空部Ｓ、およびこれらの外側の堰板２ａ，２ｂと中空部Ｓの端部を塞ぐ蓋板ｆとの間の中空部Ｓに配設したバルーンＢ１ａ，Ｂ２ａと、を備えている。
図１９中の上側に示すように、左右一対の密閉治具１ｄ，１ｄ間の中空部Ｓに配設されるバルーンＢ１ａは、押出形材Ｅ１（Ｅ２）の底壁１６に明けた挿入孔１６ａから当該中空部Ｓに挿入され、その吹き込み管ｅを挿入孔１６ａから外部に出ている。一方、中空部Ｓの両端付近に配設される一対のバルーンＢ２ａは、当該中空部Ｓの両端の開口部を塞ぐ各蓋板ｆの内側に添接され、それらの吹き込み管ｅは、各蓋板ｆを貫通して外部に出ている。尚、上記挿入孔１６ａは、バルーンＢ１ａを中空部Ｓ内に挿入した後、吹き込み管ｅを貫通させる板材で閉塞する形態としても良い。
【００３９】
図１９中の上側に示すように、床版ユニットＵを構成する押出形材Ｅ１（Ｅ２）の中空部Ｓ内において、底壁１６の明けた左右一対の貫通孔ｈごとの真上付近に、一対の中空部密閉治具１ｄを前記同様に挿入し、これらの間の中空部ＳにバルーンＢ１ａを配設し、更に、中空部Ｓの両端の開口部をバルーンＢ２ａを内側に添接した蓋板ｆで閉塞する。係る状態で、図中の矢印で示すように、各吹き込み管ｅから高圧エアまたは窒素ガスを各バルーンＢ１ａ，Ｂ２ａ内に吹き込む。
その結果、図１９中の白抜きの矢印に下方に示すように、押出形材Ｅ１（Ｅ２）の中空部Ｓ内において、一対の前記密閉治具１ｄ，１ｄ間では、前記バルーンＢ１ａが膨張し、横長のバルーンＢ１ｂとなって、該密閉治具１ｄ，１ｄ間の中空部Ｓの内壁に密着する。
一方、前記一対のバルーンＢ２ａは、それぞれ膨張してバルーンＢ２ｂとなり、押出形材Ｅ１（Ｅ２）の中空部Ｓにおける両端部の蓋板ｆと各密閉治具１ｄの堰板２ａ，２ｂに挟まれた中空部Ｓの内壁に密着する。
これにより、密閉治具１ｄごとの堰板２ａ，２ｂ間の中空部Ｓは、外部から密閉されるので、追って充填されるモルタルｍは、係る堰板２ａ，２ｂ間から外側に漏れ出さなくなる。
【００４０】
以上のようなバルーンＢ１ａ，Ｂ２ａを含む第３の中空部密閉治具１ｃ，１ｄは、前記密閉治具１，１ａに比べて構造が簡単で且つ容易に製作できる。しかも、前記設置工法に用いた場合、主桁２０上に載置された押出形材Ｅ１，Ｅ２の中空部Ｓ内における貫通孔ｈの真上付近に挿入した後に、バルーンＢ１ａ，Ｂ２ａに高圧エアなどを吹き込む操作により、膨張したバルーンＢ１ｂ，Ｂ２ｂを中空部Ｓの内壁に確実に密着できるため、前記床版ＫＳの設置工法における施工を容易且つ迅速にすることも可能となる。更に、前記モルタルｍが劣化しにくくなるので、これに伴う補修などのメンテナンス作業や工事を低減することも可能となる。
【００４１】
図２０は、本発明による第４の中空部密閉治具１ｅ、およびこれを押出形材Ｅ１（Ｅ２）の中空部Ｓ内に挿入した状態を示す垂直断面である。
中空部密閉治具１ｅは、図２０中の上側に示すように、押出形材Ｅ１（Ｅ２）の中空部Ｓ内で且つ底壁１６に開設された複数の貫通孔ｈごと付近に挿入される複数の堰板２ａ，２ｂと、隣接する貫通孔ｈ付近の中空部Ｓ内に挿入される一対の堰板２ｂ，２ａ間、および中空部Ｓの両端の開口部を塞ぐ各蓋板ｆと中空部Ｓの両端側の貫通孔ｈ付近に挿入される堰板２ａ，２ｂとの間を連結する上下２本（複数）の連結ボルト（連結棒）４と、上記一対の堰板２ｂ，２ａ間、および各蓋板ｆと堰板２ａ，２ｂとの間の中空部Ｓ内で、且つ上記連結ボルト４を除いた位置に配設された膨張可能なバルーンＢ３ａ，Ｂ４ａとを備えている。
【００４２】
尚、堰板２ｂ，２ａ間などを連結する前記ボルト４は、１本でも良い。
また、前記バルーンＢ３ａ，Ｂ４ａは、図２０中のＸ−Ｘ線の矢視に沿った視覚の部分断面図Ｘで示すように、押出形材Ｅ１（Ｅ２）の中空部Ｓ内で且つ上下２本の連結ボルト４を除いた位置を占めるほぼＣ字形またはドーナッツ形を呈する形態、あるいは、図２０中の部分断面図Ｙで示すように、左右対称な一対のほぼ雲形、またはほぼＥ字形を呈すると共に、高圧エアなどを吹き込まれた際に、中空部Ｓの長手（軸）方向に沿って膨張可能とされている。更に、前記バルーンＢ３ａの吹き込み管ｅは、底壁１６に明けた挿入孔１６ａから外部に連通し、左右の各バルーンＢ４ａの吹き込み管ｅは、蓋板ｆを貫通して外部に連通している。
図２０の上方に示すように、押出形材Ｅ１（Ｅ２）の中空部Ｓ内に、中空部密閉治具１ｅを構成する連結ボルト４で連結された複数の堰板２ａ，２ｂ、蓋板ｆ、およびバルーンバルーンＢ３ａ，Ｂ４ａを挿入する。この際、押出形材Ｅ１（Ｅ２）の底壁１６に明けた複数の貫通孔ｈを挟むように、それらの上方付近に上記堰板２ａ，２ｂが位置している。係る状態で、図２０中の矢印で示すように、各吹き込み管ｅから高圧エアなどを各バルーンＢ３ａ，Ｂ４ａ内に吹き込む。
【００４３】
その結果、図２０中の白抜きの矢印に下方に示すように、押出形材Ｅ１（Ｅ２）の中空部Ｓ内において、隣接する貫通孔ｈ，ｈ間における一対の堰板２ｂ，２ａ間では、前記バルーンＢ３ａが膨張し、各連結ボルト４付近を除いて、横長のバルーンＢ３ｂとなり、上記堰板２ｂ，２ａ間の中空部Ｓの内壁に密着する。
一方、前記一対のバルーンＢ４ａは、それぞれ膨張してバルーンＢ４ｂとなり、押出形材Ｅ１（Ｅ２）の中空部Ｓにおける両端部の蓋板ｆと、これら最接近するの堰板２ａ，２ｂに挟まれた中空部Ｓの内壁に密着する。
これによって、中空部密閉治具１ｅの堰板２ａ，２ｂ間の中空部Ｓは、外部から密閉されるので、追って充填されるモルタルｍは、係る堰板２ａ，２ｂ間から外側に漏れ出さなくなる。
従って、以上のような第４の中空部密閉治具１ｅによっても、前記第３密閉治具１ｃ，１ｄと同様な作用が可能となり、且つ効果を奏することが可能である。
【００４４】
図２１，図２２は、本発明による第５の中空部密閉治具１ｆ、およびこれを押出形材Ｅ１（Ｅ２）の中空部Ｓ内に挿入した状態などを示す垂直断面である。
第５の中空部密閉治具１ｆは、図２１に示すように、押出形材Ｅ１（Ｅ２）の中空部Ｓ内で且つ底壁１６に開設された複数の貫通孔ｈごと付近に挿入される一対の堰板２ａ，２ｂと、これらの間を連結する複数の連結ボルト４と、各堰板２ａ，２ｂの外側の中心部から延びた接続棒２９を介して取り付けられた一対の仕切板３０ａ，３０ｂと、これらの間に配置され且つ径方向に膨張可能な一対のバルーンＢ５ａと、を備えている。これらは、予めユニット化することができる。
上記バルーンＢ５ａは、中心部に接続棒２９を貫通させる通し孔を有する全体がほぼドーナッツ形状を呈する。また、各バルーンＢ５ａには、堰板２ａ，２ｂを貫通するほぼＴ字形の吹き込み管ｅが連通している。
【００４５】
図２１に示すように、押出形材Ｅ１（Ｅ２）の中空部Ｓ内において、貫通孔ｈの両側に堰板２ａ，２ｂが位置するように、中空部密閉治具１ｆを挿入する。この際、吹き込み管ｅは、小孔ｋから上方に延びている。係る状態で、図２１中の矢印で示すように、各吹き込み管ｅから高圧エアなどを各バルーンＢ５ａ内に吹き込む。
その結果、図２２に示すように、押出形材Ｅ１（Ｅ２）の中空部Ｓ内において、各バルーンＢ５ａが径方向に膨張し、中空部Ｓの内壁に密着する。
これによって、中空部密閉治具１ｆの堰板２ａ，２ｂ間の中空部Ｓは、外部から密閉されるので、追って充填されるモルタルｍは、係る堰板２ａ，２ｂ間から外側に漏れ出さなくなる。
従って、以上のような第５の中空部密閉治具１ｆによっても、前記密閉治具１ｃ，１ｄなどと同様な作用が可能となり、且つ効果を奏することが可能である。
【００４６】
本発明は、前述したような各形態に限定されるものではない。
例えば、前記密閉治具１，１ａにおいて、前記ボルトｂ・ナットｎに替え、堰板２ａ，２ｂの内側面に間隔を置いて配置した枠状の押え板６ａ，６ｂを、コイルバネにより軸方向に伸長する伸縮棒や、リンク機構を含むパンタグラフなどによって、堰板２ａ，２ｂの内側面に接近するようにした形態としても良い。
また、前記堰板２ａ，２ｂや押え板６ａ，６ｂの外周縁には、テーパ面と曲面とを組み合わせた複合面を全周に沿って形成しても良い。
更に、前記密閉治具の連結棒は、１本の前記ボルトのみ、あるいは３本以上を適切な位置に配置した形態でも良いし、前記連結ボルト４に限らず、堰板２ａ，２ｂを接続するため、これらの内側面に固着した金属棒としても良い。
また、前記パッキングｐや前記止水材ｗｐの断面形状は、前記押出形材の中空部への挿入や、係る中空部の壁面への密着に支障がない限り、前記のような形態に限らず、任意の断面形状とすることができる。
加えて、第４，第５の前記密閉治具に用いるバルーンは、複数の連結棒や接続棒と干渉しない範囲において、任意の形状とすることができる。
【図面の簡単な説明】
【００４７】
【図１】本発明による第１の中空部密閉治具の一形態を示す斜視図。
【図２】上記中空部密閉治具の垂直断面図。
【図３】上記中空部密閉治具の使用状態を示す垂直断面図。
【図４】図４に続く上記中空部密閉治具の使用状態を示す垂直断面図。
【図５】上記密閉治具の応用形態である中空部密閉治具を示す垂直断面図。
【図６】上記密閉治具の堰板と押え板の外周縁に曲面を設けた形態の概略図。
【図７】本発明による橋梁用床版の設置工法に用いる押出形材を示す端面図。
【図８】上記設置工法における前記密閉治具の挿入工程を示す概略図。
【図９】図８に引き続く密着工程を示す概略図。
【図１０】上記設置工法における別の工程を示す概略図。
【図１１】図９，図１０に続く載置工程を示す概略図。
【図１２】図１１に続く床版形成工程を示す概略図。
【図１３】図１２に続くモルタル充填工程を示す概略図。
【図１４】図１３に続く道路面材の敷設工程を示す概略図。
【図１５】図１４の敷設工程を異なる視覚で示す概略図。
【図１６】本発明による第２の中空部密閉治具を示す垂直断面図。
【図１７】上記中空部密閉治具の使用状態を示す垂直断面図。
【図１８】本発明による第３の中空部密閉治具などを示す垂直断面図。
【図１９】異なる形態の第３の中空部密閉治具などを示す垂直断面図。
【図２０】本発明による第４の中空部密閉治具などを示す垂直断面図。
【図２１】本発明による第５の中空部密閉治具などを示す垂直断面図。
【図２２】上記中空部密閉治具の使用状態を示す垂直断面図。
【符号の説明】
【００４８】
１，１ａ〜１ｆ………………………中空部密閉治具
２ａ，２ｂ……………………………堰板
３，７…………………………………テーパ面
４………………………………………連結ボルト（連結棒）
６ａ，６ｂ……………………………押え板
２０……………………………………主桁
２４……………………………………スタッドジベル
２５……………………………………型枠
３０ａ，３０ｂ………………………仕切板
ｒ………………………………………曲面
ｂ，ｂ１，ｂ２………………………ボルト
ｎ………………………………………ナット
ｐ………………………………………パッキング
ｗｐ……………………………………止水材
Ｂ１ａ，Ｂ１ｂ〜Ｂ５ａ，Ｂ５ｂ…バルーン
Ｅ１，Ｅ２……………………………押出形材
Ｕ………………………………………床版ユニット
Ｓ………………………………………中空部
ｈ………………………………………貫通孔
ｆ………………………………………蓋板
ｍ………………………………………モルタル
ＫＳ……………………………………橋梁用床版
【図１】
2010070992.tif 000003
【図２】
2010070992.tif 000004
【図３】
2010070992.tif 000005
【図４】
2010070992.tif 000006
【図５】
2010070992.tif 000007
【図６】
2010070992.tif 000008
【図７】
2010070992.tif 000009
【図８】
2010070992.tif 000010
【図９】
2010070992.tif 000011
【図１０】
2010070992.tif 000012
【図１１】
2010070992.tif 000013
【図１２】
2010070992.tif 000014
【図１３】
2010070992.tif 000015
【図１４】
2010070992.tif 000016
【図１５】
2010070992.tif 000017
【図１６】
2010070992.tif 000018
【図１７】
2010070992.tif 000019
【図１８】
2010070992.tif 000020
【図１９】
2010070992.tif 000021
【図２０】
2010070992.tif 000022
【図２１】
2010070992.tif 000023
【図２２】
2010070992.tif 000024